(57)【要約】【課題】ＳＩＭに代表される小型ＩＣカードに対して情報の書き込み・読み出しを行う小型ＩＣカード用リーダ・ライタにおいて、セキュリティ性の向上のためバイオメトリックスセンサを有しかつ操作性、使い勝手を向上すること。【解決手段】表示面を備えた筐体と、表示面に設けられたディスプレイと、筐体の表示面または表示面以外の面に設けられた機能スイッチと、生体情報を検知する操作のとき生体によりディスプレイおよび機能スイッチが触れられることのないように筐体の表示面または表示面以外の面に設けられたバイオメトリックスセンサとを具備する。【選択図】図１
2005202565.tif 000002
【特許請求の範囲】
【請求項１】
表示面を備えた筐体と、
前記表示面に設けられたディスプレイと、
前記筐体の前記表示面または前記表示面以外の面に設けられた機能スイッチと、
生体情報を検知する操作のとき生体により前記ディスプレイおよび前記機能スイッチが触れられることのないように前記筐体の前記表示面または前記表示面以外の面に設けられたバイオメトリックスセンサと
を具備することを特徴とする小型ＩＣカード用リーダ・ライタ。
【請求項２】
前記バイオメトリックスセンサが、前記表示面の端部寄りに設けられたことを特徴とする請求項１記載の小型ＩＣカード用リーダ・ライタ。
【請求項３】
前記表示面が、長手方向と該長手方向に垂直の方向に短手方向とを有し、
前記バイオメトリックスセンサが、前記表示面の前記長手方向かつ前記短手方向の端部寄りに設けられたこと
を特徴とする請求項２記載の小型ＩＣカード用リーダ・ライタ。
【請求項４】
前記バイオメトリックスセンサが前記筐体の前記表示面に設けられかつ前記生体情報を検知する検知面を有し、該検知面が前記筐体の前記表示面との間で意図的な角度がつけられていることを特徴とする請求項１記載の小型ＩＣカード用リーダ・ライタ。
【請求項５】
前記バイオメトリックスセンサの前記検知面が、前記ディスプレイの上下方向に平行な方向に、前記筐体の前記表示面との間で意図的な角度がつけられていることを特徴とする請求項４記載の小型ＩＣカード用リーダ・ライタ。
【請求項６】
前記バイオメトリックスセンサが、指紋読み取りセンサであることを特徴とする請求項４記載の小型ＩＣ用リーダ・ライタ。
【請求項７】
前記バイオメトリックスセンサが、スイープ型の指紋読み取りセンサであることを特徴とする請求項４記載の小型ＩＣ用リーダ・ライタ。
【発明の詳細な説明】
【技術分野】
【０００１】
本発明は、ＳＩＭ（subscriber identity module）に代表される小型ＩＣカードに対して情報の書き込み・読み出しを行う小型ＩＣカード用リーダ・ライタに係り、特に、セキュリティ性の向上を意図する小型ＩＣカード用リーダ・ライタに関する。
【背景技術】
【０００２】
近年ＩＣカードが多様な用途に使用されている。特表２００２−５２５７２０号公報（特許文献１）には、接触タイプのインターフェース（規格ＩＳＯ７８１６−２や規格ＩＳＯ７８１６−３）を備え、さらにＵＳＢ（universal serial bus）の接触タイプインターフェース規格を用いても使用可能なＩＣカードおよび読み取り装置が開示されている。このようなＩＣカードによりパソコンなどのＵＳＢ対応機器との接続が容易になり、例えば社員証カードとして、さらに例えばネットワークアクセス用ＩＤカードとしても使用する場合に適用できる。
【０００３】
また、ネットワークアクセス用ＩＤモジュールとして、e-Tokenと呼ばれるものがある。ＩＣチップを内蔵し、ＵＳＢ規格の接触タイプインターフェースを有し、パソコン（ＰＣ）のＵＳＢコネクタに差し込んで使用する。わずらわしい操作を必要とせずネットワークセキュリティを確保したシステムに使用できる。このモジュールはドングルとも呼ばれ、例えば携帯電話のストラップやキーホルダに取り付けて携行できる利便性がある。
【０００４】
携帯電話の分野では、小型ＩＣカードでもあるＳＩＭ、ＵＩＭ（ＵＳＩＭ）などのセキュリティＩＤモジュールが組み込まれ使われ始めている。ＵＩＭ（user identity module）は、携帯電話会社が発行する契約者情報を記録したものであり、携帯電話に組み込まれることにより利用者の識別を行う。ＵＩＭは、ＳＩＭの機能を拡張して規格化され、契約者情報のほかに、電話帳などのプライベート情報やクレジット決済用の個人識別情報などを暗号化して登録することもできる。このためＵＩＭは、ＵＳＩＭ（universal ＳＩＭ）とも呼ばれる。ＳＩＭは、ＧＳＭ携帯電話サービスを利用する場合を目的に規格化されたものであるが、ＵＩＭでは、例えばアメリカのｃｄｍａ２０００携帯電話機に差し込んで国際ローミングサービスを受けるなどの用途が考えられている。ＳＩＭやＵＩＭ自体は既存技術で製造、発行処理が可能である。
【０００５】
ＳＩＭ用やＵＩＭ用のリーダ・ライタが使用される場合、使用者が特定の者であることがセキュリティ確保上欠かせない。このため、一般には、ＳＩＭ自体を含めてリーダ・ライタは使用者によって厳重に管理される。しかしながら、管理の隙を突くような不正な使用を完全には防止できない。そこで、さらにセキュリティを高めるため、リーダ・ライタに使用者認証のためのバイオメトリックスセンサ（生体情報を読み取るセンサ）を設けることが考えられる。
【０００６】
バイオメトリックスセンサによる本人認証の技術は、例えば、特開平１１−３２８３６２号公報（特許文献２）、特開２００２−２９８１２９号公報（特許文献３）、特開２００２−２９８１３０号公報（特許文献４）、特開２００３−９１５１０号公報（特許文献５）、特開２００３−２０４３８３号公報（特許文献６）、特開平１１−３３８９８５号公報（特許文献７）などに開示がある。特許文献２では情報処理装置として、特許文献３および４では指紋照合装置として、特許文献５では指紋照合システムおよび電子機器として、特許文献６では携帯電話機として、特許文献７ではＩＣカードとして開示されている。
【０００７】
これらの文献に開示の内容において、特許文献２、３、４、５は、バイオメトリックスセンサの配置が表示ディスプレイ上かあるいは表示ディスプレイに重なるようにされている。特許文献６では、センサが汚れないようにケースなどで保護できる位置に配置している。特許文献７では、表示ディスプレイや機能部品との関係についての言及はなく習性として把持される付近に設けることが開示されている。
【特許文献１】特表２００２−５２５７２０号公報
【特許文献２】特開平１１−３２８３６２号公報
【特許文献３】特開２００２−２９８１２９号公報
【特許文献４】特開２００２−２９８１３０号公報
【特許文献５】特開２００３−９１５１０号公報
【特許文献６】特開２００３−２０４３８３号公報
【特許文献７】特開平１１−３３８９８５号公報
【発明の開示】
【発明が解決しようとする課題】
【０００８】
ＳＩＭ用などのリーダ・ライタにバイオメトリックスセンサを設ける場合、ディスプレイや他の機能部品との配置関係に注意する必要があると考えられる。例えばバイオメトリックスセンサとして指紋読み取りセンサを設ける場合は、そのセンサ配置位置によってはディスプレイに皮脂が付着しその視認性が劣化する可能性がある。また、センサに生体情報を読み取らせる間はディスプレイを見ることができなくなるということもあり得る。
【０００９】
本発明は、上記の事情を考慮してなされたもので、ＳＩＭに代表される小型ＩＣカードに対して情報の書き込み・読み出しを行う小型ＩＣカード用リーダ・ライタにおいて、セキュリティ性の向上のためバイオメトリックスセンサを有しかつ操作性に優れ使い勝手のよい小型ＩＣカード用リーダ・ライタを提供することを目的とする。
【課題を解決するための手段】
【００１０】
上記の課題を解決するため、本発明に係る小型ＩＣカード用リーダ・ライタは、表示面を備えた筐体と、前記表示面に設けられたディスプレイと、前記筐体の前記表示面または前記表示面以外の面に設けられた機能スイッチと、生体情報を検知する操作のとき生体により前記ディスプレイおよび前記機能スイッチが触れられることのないように前記筐体の前記表示面または前記表示面以外の面に設けられたバイオメトリックスセンサとを具備することを特徴とする。
【００１１】
すなわち、この小型ＩＣカード用リーダ・ライタは、バイオメトリックスセンサを個人認証のための部品として備え、かつこのバイオメトリックスセンサの配置が少なくともディスプレイおよび機能スイッチに対して考慮されたものとなっている。すなわちバイオメトリックスセンサの配置として、生体情報を検知する操作のとき生体によりディスプレイおよび機能スイッチが触れられることがないようにされている。よって、ディスプレイが見にくくなる、機能スイッチが誤操作されるなどの不都合を回避することが可能になり、操作性に優れ使い勝手のよい小型ＩＣカード用リーダ・ライタとすることができる。
【００１２】
なお、この小型ＩＣカード用リーダ・ライタで読み書きされる小型ＩＣカードには、例えばＳＩＭ、ＵＩＭ（ＵＳＩＭ）などがある。これらのカードとのインターフェースには、接触タイプの接続規格であるＩＳＯ７８１６−２またはＩＳＯ７８１６−３や、非接触タイプの接続規格であるＩＳＯ１４４４３が採用され得る。これらの小型ＩＣカードは、リーダ・ライタに対して着脱可能にし得る。
【発明の効果】
【００１３】
本発明によれば、ディスプレイが見にくくなる、機能スイッチが誤操作されるなどの不都合を回避し、操作性に優れ使い勝手のよい小型ＩＣカード用リーダ・ライタを提供できる。
【発明を実施するための最良の形態】
【００１４】
本発明の実施態様として、前記バイオメトリックスセンサは、前記表示面の端部寄りに設けられる。端部寄りに設けることで表示面に設けられるディスプレイとの距離を保つことが容易になる。
【００１５】
ここで、前記表示面は、長手方向と該長手方向に垂直の方向に短手方向とを有し、前記バイオメトリックスセンサは、前記表示面の前記長手方向かつ前記短手方向の端部寄りに設けられるようにされ得る。長手方向の端部寄りに設けるとディスプレイの配置位置の確保がより容易になる。また、短手方向の端部寄りに設けられることで生体情報を読み取るための土台となる領域を表示面に確保することが容易になる。
【００１６】
また、実施態様として、前記バイオメトリックスセンサが前記筐体の前記表示面に設けられかつ前記生体情報を検知する検知面を有し、該検知面が前記筐体の前記表示面との間で意図的な角度がつけられるようにされてもよい。意図的な角度がつけられることにより、生体情報検知の際、生体の密着度を増すことができ、センシングの精度向上に好ましい。
【００１７】
ここで、前記バイオメトリックスセンサの前記検知面は、前記ディスプレイの上下方向に平行な方向に、前記筐体の前記表示面との間で意図的な角度がつけられている、とすることができる。このようにすると、ディスプレイを見ながら生体情報を読み取らせることが容易になる。
【００１８】
また、ここで、前記バイオメトリックスセンサは指紋読み取りセンサである、とすることができる。生体情報として指紋情報は最も一般的なもののひとつである。ほかに指の静脈のパターンを読み取るセンサとしてもよい。
【００１９】
また、ここで、前記バイオメトリックスセンサは、スイープ型の指紋読み取りセンサである、とすることができる。スイープ型の指紋読み取りセンサは、指紋読み取りセンサとして一般的なもののひとつであり、エリア型に比較してより簡易な構成で精密な読み取りを行うのに向いている。
【００２０】
以上を踏まえ、以下では本発明の実施形態を図面を参照しながら説明する。図１は、本発明の一実施形態に係る小型ＩＣカード用リーダ・ライタたるＳＩＭ用リーダ・ライタの構成を示す斜視図である。図１に示すように、このＳＩＭ用リーダ・ライタ１０は、全体が筐体に収められ、この筐体には表示面１１が設けられている。表示面１１には、ディスプレイ１２、機能スイッチ１３、スイープ型の指紋読み取りセンサ１５が配置されている。また、表示面とは異なる面である側面のひとつには、ＳＩＭ２０を内部に挿入するためのスリット１４が設けられる。
【００２１】
ＳＩＭ２０のひとつの面には平面型の電極２１が配設され、ＳＩＭ２０がＳＩＭ用リーダ・ライタ１０のスリット１４に挿入されることによりリーダ・ライタ１０の内部に配設された接続電極（図示せず）と電気的接触を行う。この電気的接触により、ＳＩＭ２０とＳＩＭリーダ・ライタ１０とがすでに述べたような接触タイプの接続規格または非接触タイプの接続規格で接続され得る。非接触タイプの接続規格の場合は、上記電気的接触によりＳＩＭリーダ・ライタ内部に設けられたアンテナ（図示せず）に電気的接続され、このアンテナを介して情報のやり取りができる。
【００２２】
この実施形態では、ＳＩＭ用リーダ・ライタ１０としての小型化のために指紋読み取りセンサ１５に感熱方式を用いたスイープ型のものを使用している。指紋読み取りセンサ１５には感熱素子がライン状に並ぶ検知面１５ａがある。指紋を読み取らせるときの指の移動方向はこの場合図２に示すようになる。図２は、図１に示したＳＩＭ用リーダ・ライタ１０に指紋を読み取らせるときの態様を示す側面図である。指先３０の腹部分を指紋読み取りセンサ１５に押し当てディプレイ１２や機能スイッチ１３のない方向へ移動（擦過）する。
【００２３】
ＳＩＭ用リーダ・ライタ１０の大きさとしては、片手で操作できるよう例えば、表示面１１の長手方向が約５０〜１００ｍｍ程度、それに垂直の短手方向が約２０〜５０ｍｍ程度とすることができる。場合によっては、これ以上の大きさになる可能性もあるが、そのときは両手で操作ができるようにしてもよい。ＳＩＭ用リーダ・ライタ１０は、いわゆる携帯機器であるため、一般的に、必要最小限の操作ができるようにすることで機器の小型化を図ることが重要である。
【００２４】
そこで、この実施形態では、ディスプレイ１２が表示面１１上の領域を大きく占めることを考慮して、これをまず表示面１１上の端に寄せて配置するようにした。これにより、指紋読み取りセンサ１５とは離れた位置の配置にすることができる。また、指紋読み取りセンサ１５での指の移動方向がディスプレイ１２に向かう方向ではないため、指紋読み取りセンサ１５を指が移動するときにその指がディスプレイ１２に触れることがない。
【００２５】
機能スイッチ１３についても同様に、指紋読み取りセンサ１５を指が移動するときにこれに触れることがないように表示面１１上に配置している。加えて、機能スイッチ１３は片手でも操作できるような配置にしている。なお、機能スイッチ１３は、このＳＩＭ用リーダ・ライタを使う場合に必要な操作を入力するスイッチである。この場合はふたつのスイッチを設けている。
【００２６】
バイオメトリックスセンサである指紋読み取りセンサ１５については、センシングの精度向上を考慮して、指移動の土台となる領域を表示面１１上に確保するように配置している。すなわち、指紋読み取りセンサ１５を筐体の表示面１１の上方端部に設け、その下方を指移動のための土台となる領域とした。なお、逆に表示面１１の下方端部に設け、その上方を指移動のための土台となる領域とすることもできる。ちなみに、この実施形態では、図示するように、一応、指紋読み取りのときの指移動方向をディスプレイ１２の上下方向と平行として考えている。ディスプレイ１２の表示は図示するように横書きとするほかに、縦書きもあり得る。
【００２７】
次に、指紋読み取りセンサ１５における指紋読み取りについて図２をも参照してやや詳しく述べる。図１、図２に示すように、指紋読み取りセンサ１５は、その検知面１５ａが筐体の表示面１１と意図的な角度がつけられるように設けられている。より具体的には、表示面１１上の指の移動方向に対して検知面１５ａが鋭角をなす配設である。これは、指紋読み取りセンサ１５上を指が移動するときに検知面１５ａと指との密着性向上がなされるよう考慮したものである。
【００２８】
すなわち、人間工学的考察として、ＳＩＭ用リーダ・ライタ１０のような携帯機器を操作する場合、換言するとディスプレイ１２の表示を見たり機能スイッチ１３を操作するとき、このＳＩＭリーダ・ライタ１０は肩より下に通常は位置する。よって、筐体の表示面１１より上方に指、手、腕が位置するので、指紋読み取りセンサ１５の検知面１５ａが表示面１１に対して図示するように傾いていると指移動の際の指との密着性の向上を図ることができる。
【００２９】
特に、ディスプレイ１２の上下方向と平行な方向にみて指紋読み取りセンサ１５の検知面１５ａが表示面１１と角度がつけられている場合は、ディスプレイ１２上の表示との相性もよい。これは、一般的に、このディスプレイ１２に表示された画像や文字の方向に対して、表示の上方は人体から離れる方向であり、表示の下方は人体側であるためである。
【００３０】
なお、指紋読み取りセンサ１５は、上記説明したスイープ型のセンサのほかに、指先をセンサに押圧するタイプ（平面型）とすることもできる。スイープ型の方が設置面積自体は小さいのでＳＩＭ用リーダ・ライタ１０としてのさらなる小型化の可能性がある。スイープ型は、数ｍｍ幅の帯状の検知面１５ａ上に指を擦過させて指紋の特徴を認識するが、擦過速度や押圧にむらがある場合にも補正機能を備えることで対応ができる。このようなスイープ型指紋センサの市販品としては、ＡＴＭＥＬ社の「ＦＣＤ４Ｂ１４」（ＦｉｎｇｅｒＣｈｉｐ）などがあり、上記実施形態で利用できる。
【００３１】
また、指紋読み取りセンサ１５には、静電容量型の指紋センサを使用してもよい。平面型の静電容量型の場合は、指紋の凹凸を電気信号として検出するセンサとして、指紋の凹凸を電気信号に変換するセンサ素子が多数敷き詰められている。敷き詰められたセンサ素子の面に指先の腹部分を接触させることにより指紋が読み取られる。
【００３２】
いずれの指紋読み取りセンサの場合も検出された指紋データは、指紋画像処理ソフトで処理されてＳＩＭ用リーダ・ライタ１０内の指紋テンプレートに保持される。
【００３３】
次に、ディスプレイ１２についてさらに説明する。ディスプレイ１２の持つ機能のひとつは、スリット１４に挿入されたＳＩＭ２０が保持する情報を表示することである。この表示は、機能スイッチ１３の操作により順次移行する。表示内容は、ＳＩＭ２０の搭載するアプリケーションソフトによって異なるが、例えば、電子マネーの場合は、残高、支払い明細等であり、電子チケットの場合は、利用日付けや会場、開演時間、指定座席等の表示であり、定期券用途の場合は、通用区間や通用期間、使用者等の表示などとなる。このようにＳＩＭ２０は複数アプリケーションを搭載し得る。
【００３４】
ディスプレイ１２には、ドットマトリクスタイプの反射型カラー液晶表示などを採用し得る。文字のほか図形表示をさせてもよい。なお、液晶タイプに限らず、有機ＥＬや電子ペーパーなど薄型で消費電力の少ない表示装置を代替して利用するようにしてもよい。
【００３５】
図３は、上記実施形態に係るＳＩＭ用リーダ・ライタ１０に適用するＳＩＭを示す平面図である。ＳＩＭ２０は、外見上、長辺が２５ｍｍ、短辺が１５ｍｍ程度の板状の樹脂からなるものである。厚みは１．０ｍｍ以内（通常は０．７６ｍｍ）であり均一な薄板状とされている。複数の電極２１に電気的接続された板内部には、例えば接触、非接触デュアルモードのＩＣモジュールが封止される。ＳＩＭ２０の矩形一頂点部に切り欠きを有するのは、ＳＩＭ２０をＳＩＭ用リーダ・ライタ１０に挿入する際の挿入方向および板面方向を識別容易にするためである。
【００３６】
以上説明のように、本実施形態に係るＳＩＭ用リーダ・ライタ１０によれば、バイオメトリックスセンサである指紋読み取りセンサ１５上を指が移動する際に、表示面１１上に設けられた他の部品（ディスプレイ１２や機能スイッチ１３）に悪影響が生じないという効果がある。より具体的には、ディスプレイ１２が皮脂で汚されたり移動する指にディスプレイ１２の視認が遮られたりすることがなくなる。すなわち、ディスプレイ１２の視認性が向上する。さらに機能スイッチ１３が誤操作されることもなくなる。
【００３７】
よって、ディスプレイ１２が皮脂で腐食して寿命劣化を引き起こすことも防止される。また、機能スイッチ１３の誤作動を避けられることから回路動作として信頼性を向上でき、結果としてＳＩＭ用リーダ・ライタ１０が長寿命化できるという効果もある。さらに、機能スイッチ１３の誤操作が防止されるということにより、ＳＩＭ用リーダ・ライタ１０の内部回路の不必要な電力消費を抑制することができるという効果もある。これによって、内蔵される電池の長寿命化につなげることができる。よって、一次電池の場合は電池の交換頻度、二次電池の場合は充電頻度を減らせる。
【００３８】
次に、図１、図２に示した実施形態とは別の実施形態について図４を参照して説明する。図４は、図１に示した実施形態とは別の本発明の実施形態に係る小型ＩＣカード用リーダ・ライタたるＳＩＭ用リーダ・ライタの構成を示す斜視図である。図４において、すでに説明した部分には同一符号を付してある。その部分の説明は省略する。
【００３９】
図４（ａ）に示すＳＩＭ用リーダ・ライタ１０Ａは、表示面１１上での指紋読み取りセンサ１５の配置位置を図１に示した場合とは変えている。すなわち、図１に示した実施形態では、指紋読み取りセンサ１５の配置位置は、表示面１１の長手方向および短手方向の両方向に端部であって、指の移動方向下方向に空白領域が設けられるような位置になっているが、この実施形態では、表示面１１の長手方向および短手方向の両方向に端部であって、指の移動方向上方向に空白領域が設けられるような位置になっている。このような指紋読み取りセンサ１５の配置でも、操作によってディスプレイ１２が見にくくなる、機能スイッチ１３が誤操作されるなどの不都合を回避することが可能である。
【００４０】
図４（ｂ）に示すＳＩＭ用リーダ・ライタ１０Ｂは、表示面１１上での指紋読み取りセンサ１５の配置位置を図１に示した場合と変えるとともに、ディスプレイ１２の上下、左右を図１に示した場合と９０度変えている。これに伴い、このＳＩＭ用リーダ・ライタ１０Ｂは、縦型にして使用することを想定する。指紋読み取りセンサ１５の配置位置は、表示面１１の長手方向の端部とし短手方向には中央とする。そして、指の移動方向上方向に空白領域が設けられるような位置になっている。このようにしても、操作によってディスプレイ１２が見にくくなる、機能スイッチ１３が誤操作されるなどの不都合を回避することが可能である。
【００４１】
図５は、図１、図４に示した実施形態とは別の本発明の実施形態に係る小型ＩＣカード用リーダ・ライタたるＳＩＭ用リーダ・ライタの構成を示す斜視図である。図５において、すでに説明した部分には同一符号を付してある。その部分の説明は省略する。
【００４２】
図５に示すＳＩＭ用リーダ・ライタ１０Ｃは、機能スイッチ１３を表示面１１に設けることに代えて表示面１１以外の面のひとつである側面（上側の側面）に設けたものである。このように機能スイッチ１３は、表示面１１上に設けるのみならず他の面に設けてもよい。特にこの場合、機能スイッチ１３が指紋読み取りセンサ１５の設けられた面（表示面１１）とは異なる面に設けられるので、指紋読み取りのときの機能スイッチ１３の誤操作を防止する上で好ましい。
【００４３】
以上、本発明の実施形態を説明したが、本発明に係るＳＩＭ用リーダ・ライタはこれらの形態に限らず本発明の趣旨を逸脱しない範囲で種々変更が可能である。例えば、筐体側面のひとつの面には、ＵＳＢコネクタを設けるようにしてもよい。ＵＳＢコネクタを外部インタフェース用コネクタとして用いることで、非接触インターフェースを用いる通信より高容量のデータ通信を行うことができる。また、指紋読み取りセンサ１５を使用しないときに備えて、指紋読み取りセンサ１５にカバーなどをかけるよう構成することも可能である。
【００４４】
さらには、ＳＩＭ２０の挿入位置が図１に示した実施形態ではディスプレイ１２とは筐体平面図で反対側の側面から挿入されるようになっているが、筐体の別の各側面、あるいは裏面としてもよい。これは、本発明に係るＳＩＭ用リーダ・ライタに内蔵される部品の実装構造などによって適宜選択できる。また、図１に示した実施形態では、筐体の表示面１１の左方にディスプレイ１２が配置され、機能スイッチ１３がほぼ中央に配置されているが、本発明の趣旨である、指紋読み取りセンサ１５での指の移動（走査：スキャニング）の際に人体（指など）が触れないようにした配置であれば、これらは表示面１１上でどこに配置するようにしてもよい。機能スイッチ１３は、表示面１１上に限らず他の面に配置されてもよい。これは、指紋読み取りセンサ１５についても同じであり、表示面１１上に限らず筐体側面や裏面に設けるとすることもできる
【図面の簡単な説明】
【００４５】
【図１】本発明の一実施形態に係る小型ＩＣカード用リーダ・ライタたるＳＩＭ用リーダ・ライタの構成を示す斜視図。
【図２】図１に示したＳＩＭ用リーダ・ライタ１０に指紋を読み取らせるときの態様を示す側面図。
【図３】図１に示した実施形態に係るＳＩＭ用リーダ・ライタ１０に適用するＳＩＭを示す平面図。
【図４】図１に示した実施形態とは別の本発明の実施形態に係る小型ＩＣカード用リーダ・ライタたるＳＩＭ用リーダ・ライタの構成を示す斜視図。
【図５】図１、図４に示した実施形態とは別の本発明の実施形態に係る小型ＩＣカード用リーダ・ライタたるＳＩＭ用リーダ・ライタの構成を示す斜視図。
【符号の説明】
【００４６】
１０，１０Ａ，１０Ｂ、１０Ｃ…ＳＩＭ用リーダ・ライタ、１１…表示面、１２…ディスプレイ、１３…機能スイッチ、１４…ＳＩＭ用スリット、１５…指紋読み取りセンサ、１５ａ…検知面。
【図１】
2005202565.tif 000003
【図２】
2005202565.tif 000004
【図３】
2005202565.tif 000005
【図４】
2005202565.tif 000006
【図５】
2005202565.tif 000007